(57)【要約】  軸方向が光軸方向にされ内部空間が配置空間として形成されると共に被写体側の端部が固定用端部として設けられた外筒と、前記配置空間に配置されレンズを保持する環状のレンズ保持部と、前記固定用端部に固定される固定部と前記配置空間に位置され弾性変形可能な押当部とを有し環状に形成された弾性体とを備え、前記押当部が前記レンズ保持部の外周面に押し当てられる。これにより、外筒とレンズ保持部の間の隙間が弾性体によって封止され、レンズ鏡筒が被写体側から視認されときの周方向における隙間の大きさの相違が認識され難くなると共に外筒とレンズ保持部の間から塵埃や水分が進入しないため、外観品位の向上及び防塵防滴性能の向上を図ることができる。【選択図】図２
2020174876.tif 000002
【特許請求の範囲】
【請求項１】
軸方向が光軸方向にされ内部空間が配置空間として形成されると共に被写体側の端部が固定用端部として設けられた外筒と、
前記配置空間に配置されレンズを保持する環状のレンズ保持部と、
前記固定用端部に固定される固定部と弾性変形可能にされ前記レンズ保持部の外周面に押し当てられる押当部を有し環状に形成された弾性体とを備えた
レンズ鏡筒。
【請求項２】
前記固定部に少なくとも前記固定用端部の先端面に固定される第１の部分が設けられた
請求項１に記載のレンズ鏡筒。
【請求項３】
前記固定部に前記固定用端部の先端面を覆う第１の部分と前記固定用端部の外周面に固定される第２の部分とが設けられた
請求項１に記載のレンズ鏡筒。
【請求項４】
前記弾性体における前記押当部と前記固定部の間の部分が前記配置空間に位置される連結部として設けられ、
前記外筒の内周面と前記連結部との間に充填材が設けられた
請求項１に記載のレンズ鏡筒。
【請求項５】
前記外筒の内周面と前記連結部の外周面とが前記充填材に接着された
請求項４に記載のレンズ鏡筒。
【請求項６】
前記弾性体における前記押当部と前記固定部の間の部分が前記配置空間に位置される連結部として設けられ、
前記弾性体には前記連結部から内周側に突出する環状の突部が設けられた
請求項１に記載のレンズ鏡筒。
【請求項７】
前記押当部には、前記レンズ保持部の外周面に押し当てられる接触部と、前記接触部の被写体と反対側の一端に連続され前記接触部に対して前記外筒の内周面に近付く方向へ屈曲された屈曲部とが設けられた
請求項１に記載のレンズ鏡筒。
【請求項８】
前記レンズ保持部が環状のレンズ枠と前記レンズを前記レンズ枠に押し付け被写体側の端部が前記レンズ枠より被写体側に位置された押さえ環とを有し、
前記押当部が前記押さえ環の外周面に押し当てられた
請求項１に記載のレンズ鏡筒。
【請求項９】
光学像を取り込むレンズ鏡筒と取り込まれた光学像を電気的信号に変換する撮像素子とを備え、
前記レンズ鏡筒は、
軸方向が光軸方向にされ内部空間が配置空間として形成されると共に被写体側の端部が固定用端部として設けられた外筒と、
前記配置空間に配置されレンズを保持する環状のレンズ保持部と、
前記固定用端部に固定される固定部と弾性変形可能にされ前記レンズ保持部の外周面に押し当てられる押当部を有し環状に形成された弾性体とを備えた
撮像装置。
【発明の詳細な説明】
【技術分野】
【０００１】
本技術は、外筒の内部にレンズを保持するレンズ保持部が配置されたレンズ鏡筒及び撮像装置についての技術分野に関する。
【先行技術文献】
【特許文献】
【０００２】
【特許文献１】特開２００６−２０１２５０号公報
【背景技術】
【０００３】
ビデオカメラやスチルカメラ等の各種の撮像装置にはレンズ等の撮影光学系を介して光学像を取り込むレンズ鏡筒が設けられ、レンズ鏡筒が光軸方向に並ぶ複数のレンズ群を有する構成にされているものがある。また、撮像装置にはレンズ鏡筒が設けられておらず、撮像装置に着脱可能にされた交換レンズ等がレンズ鏡筒として用いられる場合もある。【０００４】
このようなレンズ鏡筒においては、内部への塵や水の侵入を防止するために、円環状のシーリング材を化粧環によって光軸方向に圧縮して取り付けることにより、レンズを保持する一群鏡筒（レンズ保持部）とフィルター枠（外筒）との隙間を充填するものがある(例えば、特許文献１参照）。
【発明の概要】
【発明が解決しようとする課題】
【０００５】
ところで、レンズ鏡筒においては、光学性能を確保するために、例えば、外筒に対するレンズの位置を光軸に直交する適正な位置に調整するシフト調整が行われる場合があり、シフト調整はレンズが保持されたレンズ保持部を外筒に対して光軸に直交する方向へ変位させることにより行われる。【０００６】
従って、シフト調整を行った結果、外筒の中心軸に対してレンズの光軸が径方向においてずれてしまい、外筒とレンズ保持部の間の隙間が周方向において部分的に異なり、レンズ鏡筒を被写体側から視認したときの外観品位が損なわれるおそれがある。【０００７】
また、レンズ鏡筒においては、製造上の部品公差によっても隙間の大きさが周方向において部分的に異なる場合もあり、このような状態も外観品位の低下の一因になるおそれがある。【０００８】
一方、外筒とレンズ保持部の間の隙間は外部からのレンズ鏡筒への塵埃や水分の侵入経路になり得るため、レンズ鏡筒においては防塵及び防水対策を施すことも必要にされている。【０００９】
そこで、本技術レンズ鏡筒及び撮像装置は、上記した問題点を克服し、外観品位の向上及び防塵防滴性能の向上を図ることを目的とする。
【課題を解決するための手段】
【００１０】
第１に、本技術に係るレンズ鏡筒は、軸方向が光軸方向にされ内部空間が配置空間として形成されると共に被写体側の端部が固定用端部として設けられた外筒と、前記配置空間に配置されレンズを保持する環状のレンズ保持部と、前記固定用端部に固定される固定部と弾性変形可能にされ前記レンズ保持部の外周面に押し当てられる押当部を有し環状に形成された弾性体とを備えたものである。【００１１】
これにより、外筒とレンズ保持部の間の隙間が弾性体によって封止され、レンズ鏡筒が被写体側から視認されときの周方向における隙間の大きさの相違が認識され難くなる。【００１２】
第２に、上記したレンズ鏡筒においては、前記固定部に少なくとも前記固定用端部の先端面に固定される第１の部分が設けられることが望ましい。【００１３】
これにより、外筒の先端面が第１の部分によって覆われる状態にされる。【００１４】
第３に、上記したレンズ鏡筒においては、前記固定部に前記固定用端部の先端面を覆う第１の部分と前記固定用端部の外周面に固定される第２の部分とが設けられることが望ましい。【００１５】
これにより、固定用端部の外周面に第２の部分が固定されるため、弾性体の外筒に対する固定範囲を大きくすることが可能になる。【００１６】
第４に、上記したレンズ鏡筒においては、前記弾性体における前記押当部と前記固定部の間の部分が前記配置空間に位置される連結部として設けられ、前記外筒の内周面と前記連結部との間に充填材が設けられることが望ましい。【００１７】
これにより、連結部と固定用端部の間の空間が充填材によって埋められる。【００１８】
第５に、上記したレンズ鏡筒においては、前記外筒の内周面と前記連結部の外周面とが前記充填材に接着されることが望ましい。【００１９】
これにより、充填材を介して外筒と押当部が接着される。【００２０】
第６に、上記したレンズ鏡筒においては、前記弾性体における前記押当部と前記固定部の間の部分が前記配置空間に位置される連結部として設けられ、前記弾性体には前記連結部から内周側に突出する環状の突部が設けられることが望ましい。【００２１】
これにより、突部によってレンズ保持部を被写体側から覆うことが可能になる。【００２２】
第７に、上記したレンズ鏡筒においては、前記押当部には、前記レンズ保持部の外周面に押し当てられる接触部と、前記接触部の被写体と反対側の一端に連続され前記接触部に対して前記外筒の内周面に近付く方向へ屈曲された屈曲部とが設けられるのが望ましい。【００２３】
これにより、結合環がベース筒に光軸方向において組み付けられるときに、屈曲部がレンズ保持部の先端に案内される被案内部として機能する。【００２４】
第８に、上記したレンズ鏡筒においては、前記レンズ保持部が環状のレンズ枠と前記レンズを前記レンズ枠に押し付け被写体側の端部が前記レンズ枠より被写体側に位置された押さえ環とを有し、前記押当部が前記押さえ環の外周面に押し当てられることが望ましい。【００２５】
これにより、配置空間において押当部を外筒の中心軸側に近付けて位置させることが可能になる。【００２６】
第９に、本技術に係る撮像装置は、光学像を取り込むレンズ鏡筒と取り込まれた光学像を電気的信号に変換する撮像素子とを備え、前記レンズ鏡筒は、軸方向が光軸方向にされ内部空間が配置空間として形成されると共に被写体側の端部が固定用端部として設けられた外筒と、前記配置空間に配置されレンズを保持する環状のレンズ保持部と、前記固定用端部に固定される固定部と弾性変形可能にされ前記レンズ保持部の外周面に押し当てられる押当部を有し環状に形成された弾性体とを備えたものである。【００２７】
これにより、外筒とレンズ保持部の間の隙間が弾性体によって封止され、レンズ鏡筒が被写体側から視認されときの周方向における隙間の大きさの相違が認識され難くなる。
【図面の簡単な説明】
【００２８】
【図１】図２乃至図１４と共に本技術レンズ鏡筒及び撮像装置の実施の形態を示すものであり、本図は、レンズ鏡筒と装置本体を分離して示す撮像装置の斜視図である。
【図２】レンズ鏡筒の一部を示す拡大断面図である。
【図３】固定用端部と弾性体の間の隙間が小さくされた状態を示す拡大断面図である。
【図４】固定用端部と弾性体の間の隙間が大きくされた状態を示す拡大断面図である。
【図５】押当部がレンズ枠に押し当てられた状態を示す拡大断面図である。
【図６】結合環等がベース筒に組み付けられる前の状態を示す拡大断面図である。
【図７】弾性体に関する第１の構成例を示す拡大断面図である。
【図８】弾性体に関する第２の構成例を示す拡大断面図である。
【図９】弾性体に関する第３の構成例を示す拡大断面図である。
【図１０】撮像装置のブロック図である。
【図１１】内視鏡手術システムの概略的な構成の一例を示す図である。
【図１２】図１１に示すカメラヘッド及びＣＣＵの機能構成の一例を示すブロック図である。
【図１３】車両制御システムの概略的な構成の一例を示すブロック図である。
【図１４】車外情報検出部及び撮像部の設置位置の一例を示す説明図である。
【発明を実施するための形態】
【００２９】
以下に、本技術を実施するための形態を添付図面を参照して説明する。
【００３０】
以下に示す実施の形態は、本技術撮像装置をスチルカメラに適用し、本技術レンズ鏡筒をこのスチルカメラの装置本体に対して着脱可能な交換レンズに適用したものである。
【００３１】
尚、本技術の適用範囲はスチルカメラ、スチルカメラの装置本体に対して着脱可能な交換レンズに限られることはない。本技術は、例えば、撮像装置としてビデオカメラや他の機器に組み込まれる各種の撮像装置、これらの撮像装置に設けられるレンズ群等により構成されるレンズユニット等のレンズ鏡筒に広く適用することができる。
【００３２】
以下の説明にあっては、スチルカメラの撮影時において撮影者から見た方向で前後上下左右の方向を示すものとする。従って、被写体側が前方となり、撮影者側が後方となる。
【００３３】
尚、以下に示す前後上下左右の方向は説明の便宜上のものであり、本技術の実施に関しては、これらの方向に限定されることはない。
【００３４】
また、以下に示すレンズ群は、単数又は複数のレンズにより構成されたものの他、これらの単数又は複数のレンズと絞りやアイリス等の他の光学素子を含んでもよい。
【００３５】
＜撮像装置の構成＞
撮像装置１００は装置本体２００とレンズ鏡筒１によって構成されている（図１参照）。レンズ鏡筒１は、例えば、装置本体２００に着脱可能な交換レンズである。尚、本技術は、装置本体の内部にレンズ鏡筒１の内部構造と同様の構造を有するレンズユニットが組み込まれたタイプやこのレンズユニットが装置本体に対して突出又は収納される沈胴タイプにも適用することが可能である。
【００３６】
装置本体２００は外筐２０１の内外に所要の各部が配置されて成る。
【００３７】
外筐２０１には、例えば、上面や後面に各種の操作部２０２、２０２、・・・が配置されている。操作部２０２、２０２、・・・としては、例えば、電源釦、シャッター釦、ズーム摘子、モード切替摘子等が設けられている。
【００３８】
外筐２０１の後面には図示しないディスプレイ（表示部）が配置されている。
【００３９】
外筐２０１の前面には円形状の開口２０１ａが形成され、開口２０１ａの周囲の部分がレンズ鏡筒１を装着するためのマウント部２０３として設けられている。
【００４０】
外筐２０１の内部にはＣＣＤ（Charge Coupled Device）やＣＭＯＳ（Complementary Metal-Oxide Semiconductor）等の撮像素子２０４が配置され、撮像素子２０４は開口２０１ａの後方に位置されている。
【００４１】
＜レンズ鏡筒の構成＞
レンズ鏡筒１は軸方向が前後方向にされた略円筒状の外筒２と外筒２の内外に取り付けられ又は支持された所要の各部とから成る（図１及び図２参照）。
【００４２】
外筒２は略円筒状に形成されたベース筒３とベース筒３の前端部に結合された結合環４とを有している。外筒２の内部空間は配置空間２ａとして形成されている。
【００４３】
レンズ鏡筒１には光軸方向に離隔して位置された複数のレンズ群が配置空間２ａに配置され、レンズ群は光軸方向へ移動可能な可動群と光軸方向へ移動不能な固定群とによって構成されている。レンズ群のうち一つのレンズ群は、ぶれ補正を行うために光軸方向に直交する方向へ移動可能なシフトレンズ群として設けられていてもよい。
【００４４】
ベース筒３には外周側に操作リング５、５が回転可能に支持されている。操作リング５を回転操作することにより、例えば、マニュアルズーミングやマニュアルフォーカシングを行うことが可能である。ベース筒３の後端部にはマウント用突部６、６、６が周方向に離隔して設けられている。レンズ鏡筒１はマウント用突部６、６、６がマウント部２０３に係合されることにより、装置本体２に装着される。
【００４５】
ベース筒３の外周面における前端寄りの部分はねじ止め部３ａとして形成されている。
【００４６】
結合環４は前端部が固定用端部７として設けられ後端部が結合用端部８として設けられている。固定用端部７は結合用端部８より内周側、即ち、結合環４の中心軸側に位置されている。結合環４は結合用端部８がベース筒３に外周側から結合される。結合用端部８の内周面における後端部は螺溝部８ａとして形成されている。
【００４７】
固定用端部７には弾性体９が固定されている。弾性体９は、例えば、ゴム材料によって環状に形成されている。尚、弾性体９はゴム材料以外の弾性を有する材料によって形成されていてもよい。
【００４８】
弾性体９は固定部１０と連結部１１と押当部１２が一体に形成されて成り、固定部１０と連結部１１と押当部１２が順に連続されて形成されている。
【００４９】
固定部１０は前側に位置された第１の部分１３と第１の部分１３の外周部から略後方に突出された第２の部分１４とによって構成され、第２の部分１４の前後方向における幅が第１の部分１３の径方向における幅より大きくされている。固定部１０は前後方向における幅が結合環４における固定用端部７の前後方向における幅と略同じにされている。
【００５０】
連結部１１は固定部１０の第１の部分１３と押当部１２とを連結する部分であり、第１の部分１３の内周部から略後方に突出されている。従って、連結部１１は固定部１０における第２の部分１４の内周側に位置されている。
【００５１】
押当部１２は連結部１１の後端に連続して設けられ、連結部１１に連続された接触部１５と接触部１５の後端に連続され接触部１５に対して固定部１０側に屈曲された屈曲部１６とから成る。押当部１２と連結部１１は固定部１０の内周側に位置され、固定部１０の後端の内周側に押当部１２が位置されている。押当部１２及び連結部１１と固定部１０との間には挿入空間９ａが形成されている。
【００５２】
弾性体９は、例えば、固定部１０における第２の部分１４の内周面１４ａが結合環４における固定用端部７の外周面７ａに接した状態で接着等によって固定用端部７に固定される。弾性体９が固定用端部７に固定された状態においては、挿入空間９ａに固定用端部７が挿入され、固定部１０の第１の部分１３と第２の部分１４によってそれぞれ前側と外周側から固定用端部７が覆われ、連結部１１と押当部１２によって内周側から固定用端部７が覆われる。固定用端部７と連結部１１及び押当部１２との間には挿入空間９ａにおいて隙間が形成され、連結部１１と押当部１２はこの隙間分だけ固定部１０に近付く方向へ弾性変形可能にされる。
【００５３】
上記のように、レンズ鏡筒１にあっては、固定部１０に第１の部分１３と第２の部分１４が設けられている。従って、固定用端部７の先端面７ｂが第１の部分１３によって覆われると共に固定用端部７の外周面７ａに第２の部分１４が固定されるため、弾性体９の外筒２に対する固定範囲を大きくすることが可能になり、落下や衝撃等が生じたときに外筒２を十分に保護することができると共に外筒２からの弾性体９の脱落を防止することができる。
【００５４】
尚、弾性体９は第２の部分１４に加えて第１の部分１３が固定用端部７に固定されてもよい。この場合には第１の部分１３が固定用端部７の先端面７ｂに接着等によって固定される。
【００５５】
このように第１の部分１３と第２の部分１４の何れもが固定用端部７に固定されることにより、固定部１０の固定用端部７に対する固定面積が大きくなり、弾性体９の固定用端部７に対する固定強度を高くすることができる。
【００５６】
外筒２の配置空間２ａにはレンズ保持部１７が配置されている。レンズ保持部１７はレンズ枠１８と押さえ環１９を有し、レンズ枠１８に押さえ環１９が、例えば、螺合されることにより結合されている。
【００５７】
レンズ枠１８は略前後方向を向くベース部２０とベース部２０の外周部から前方に突出された周面部２１とを有している。ベース部２０には外周部を除く部分に光透過孔２０ａが形成されている。周面部２１の内周面には螺合部２１ａが形成されている。
【００５８】
押さえ環１９は略円筒状に形成され、外周面における後端寄りの部分にねじ込み部１９ａが形成されている。押さえ環１９の外周面における前端部は被押さえ面１９ｂとして形成されている。
【００５９】
レンズ保持部１７にはレンズ２２が保持されている。レンズ２２は配置空間２ａに配置された最も前側のレンズ群に相当する。
【００６０】
レンズ２２はレンズ保持部１７にレンズ枠１８と押さえ環１９に挟持されることにより保持されている。レンズ２２のレンズ保持部１７による保持は、レンズ２２がベース部２０の外周部における前面に押し当てられた状態で押さえ環１９が回転されてねじ込み部１９ａがレンズ枠１８の螺合部２１ａに螺合されることにより、押さえ環１９がレンズ２２に近付く方向へ移動され押さえ環１９の後面がレンズ２２の外周部における前面に押し当てられることにより行われる。従って、レンズ２２は外周部が押さえ環１９の後面とベース部２０の前面とによって挟持され、レンズ保持部１７に保持される。また、レンズ２２は外周面が周面部２１の内周面に押さえられてレンズ保持部１７に保持される。尚、ベース部２０とレンズ２２の間に環状のスペーサーを挟み込むことで、レンズ２２の光軸方向における位置を調整することが可能にされている。
【００６１】
レンズ保持部１７における押さえ環１９の被押さえ面１９ｂには弾性体９の押当部１２における接触部１５が外側から押し当てられている。弾性体９は連結部１１と押当部１２が固定部１０に対して弾性変形可能であり、接触部１５は固定部１０側に弾性変形された状態で内周面１５ａが被押さえ面１９ｂに押し当てられる。従って、接触部１５は全周において内周面１５ａが被押さえ面１９ｂに密着された状態で押し当てられる。
【００６２】
接触部１５の内周面１５ａが押さえ環１９の被押さえ面１９ｂに押し当てられた状態においては、連結部１１が後方へ行くに従って外筒２の中心軸に近付く方向へ傾斜されている。
【００６３】
＜弾性体のレンズ保持部に対する作用＞
上記のように、レンズ保持部１７は外筒２の配置空間２ａに配置されるが、レンズ鏡筒１においては、光学性能を確保するために、外筒２に対するレンズ２２の位置を光軸に直交する適正な位置に調整するシフト調整が行われる。シフト調整はレンズ２２が保持されたレンズ保持部１７を外筒２に対して光軸に直交する方向へ変位させることにより行われる。
【００６４】
シフト調整を行った結果、外筒２の中心軸に対してレンズ２２の光軸が径方向においてずれる可能性があるが、外筒２の中心軸に対してレンズ２２の光軸が径方向においてずれた場合には、外筒２とレンズ保持部１７の間の隙間Ｐが周方向において部分的に異なる（図３及び図４参照）。尚、図３及び図４は、理解を容易にするために、外筒２とレンズ保持部１７の間の隙間Ｐが周方向において部分的に異なる状態を上側の隙間Ｐと下側の隙間Ｐで大きく異なるように誇張して示している。
【００６５】
また、レンズ鏡筒１においては、製造上の部品公差によっても外筒２とレンズ保持部１７の間の隙間Ｐの大きさが周方向において部分的に異なる場合もある。
【００６６】
しかしながら、レンズ鏡筒１においては、上記したように、レンズ保持部１７における押さえ環１９の被押さえ面１９ｂに弾性体９の接触部１５の内周面１５ａが外側から全周において被押さえ面１９ｂに密着された状態で押し当てられている。従って、隙間Ｐが弾性体９によって封止され、レンズ鏡筒１が被写体側から視認されたときには連結部１１の周方向における各部の傾斜角度が異なるだけであるため、隙間Ｐが周方向において部分的に異なる状態であることが外観として認識され難く、レンズ鏡筒１が被写体側から視認されたときの周方向における隙間Ｐの大きさの相違が認識され難い。
【００６７】
また、弾性体９によって隙間Ｐが封止されているため、隙間Ｐが外部からのレンズ鏡筒１への塵埃や水分の侵入経路にならず、外筒２とレンズ保持部１７の間から塵埃や水分が侵入しない。
【００６８】
＜まとめ＞
以上に記載した通り、レンズ鏡筒１にあっては、外筒２における被写体側の端部である固定用端部７に固定される固定部１０と配置空間２ａに位置され弾性変形可能な押当部１２とを有し環状に形成された弾性体９を備え、押当部１２がレンズ保持部１７の外周面に押し当てられている。
【００６９】
従って、外筒２とレンズ保持部１７の間の隙間Ｐが弾性体９によって封止され、レンズ鏡筒１が被写体側から視認されときの周方向における隙間Ｐの大きさの相違が認識され難く、外観品位の向上を図ることができる。
【００７０】
また、弾性体９によって隙間Ｐが封止されているため、外筒２とレンズ保持部１７の間から塵埃や水分が侵入せず、防塵防滴性能の向上を図ることができる。
【００７１】
さらに、隙間Ｐを封止するためのシーリング材に加えて隙間Ｐを被写体側から覆い隠すための化粧環を必要としないため、部品点数の削減を図った上で外観品位の向上及び防塵防滴性能の向上を図ることができる。
【００７２】
さらにまた、外筒２に対するレンズ２２の位置を調整するシフト調整が行われた状態においても外観品位の低下を来すことがないため、外観品位の向上を図った上でシフト調整による光学性能の向上を図ることができる。
【００７３】
加えて、一般に、押さえ環１９は外周面がレンズ枠１８の外周面より内側に位置されることが多く、外周面がレンズ枠１８の外周面より内側に位置される押さえ環１９に押当部１２が押し当てられるため、配置空間２ａにおいて押当部１２を外筒２の中心軸側に近付けて位置させることが可能になり、レンズ鏡筒１の小型化を図ることができる。
【００７４】
尚、上記には、押さえ環１９に押当部１２が押し当てられる例を示したが、レンズ鏡筒１においては、押さえ環１９の全体がレンズ枠１８の内側に位置される構成も存在し、このような構成の場合にはレンズ枠１８の外周面に押当部１２が押し当てられてもよい（図５参照）。また、押さえ環１９の一部がレンズ枠１８の前側に位置される構成（図２参照）においても、連結部１１の前後方向における長さを長くしてレンズ枠１８の外周面に押当部１２が押し当てられる構成にすることも可能である。
【００７５】
また、弾性体９の弾性力を高くするためには、押当部１２の前後方向における位置がより後方側に位置されることが望ましく、このような構成にするためには、外筒２の前端から押さえ環１９の前端までの距離Ｌ（図２参照）が長くされることが望ましい。
【００７６】
＜レンズ鏡筒における弾性体の組付＞
レンズ鏡筒１においては、外筒２と弾性体９とレンズ保持部１７の相互の良好な組付作業を行うために、例えば、ベース筒３の内部にレンズ２２が保持されたレンズ保持部１７を配置した状態において、弾性体９が固定された結合環４がベース筒３に前方から組み付けられる（図６参照）。
【００７７】
結合環４がベース筒３に前側から組み付けられるときには、例えば、結合環４が回転されて螺溝部８ａがベース筒３のねじ止め部３ａに螺合されることにより結合環４がベース筒３に結合される。
【００７８】
このとき、同時に、弾性体９の押当部１２が押さえ環１９の前端に接するが、押当部１２には接触部１５に対して固定部１０側に屈曲された屈曲部１６が設けられているため、屈曲部１６が押さえ環１９の前端に案内され接触部１５が押さえ環１９の外周面に乗り上げる。従って、接触部１５が押さえ環１９の被押さえ面１９ｂに外側から押し当てられる。
【００７９】
このように弾性体９には接触部１５に対して固定部１０側に屈曲された屈曲部１６が設けられているため、屈曲部１６がレンズ保持部１７の先端に案内される被案内部として機能し、外筒２と弾性体９とレンズ保持部１７の組付を適正かつ迅速に行うことができる。
【００８０】
＜他の構成例＞
以下に、弾性体９に関する他の構成例について説明する（図７乃至図９参照）。
【００８１】
第１の構成例は、弾性体９に代えて第２の部分１４が設けられていない弾性体９Ａが用いられた例である（図７参照）。従って、弾性体９Ａは固定部１０Ａが第１の部分１３のみによって構成され、第１の部分１３が固定用端部７の先端面７ｂに固定されている。
【００８２】
このように弾性体９Ａは固定部１０Ａが第１の部分１３のみによって構成され第１の部分１３が固定用端部７の先端面７ｂに固定されているため、外筒２の先端面が第１の部分１３によって覆われる状態にされ、落下や衝撃等が生じたときに外筒２を保護することができる。
【００８３】
また、固定部１０Ａが第１の部分１３のみによって構成されているため、弾性体９Ａの製造コストが低減されると共に弾性体９Ａが簡素な構成であり、製造コストの低減及び構成の簡素化を図った上で外観品位の向上及び防塵防滴性能の向上を図ることができる。
【００８４】
第２の構成例は、弾性体９の連結部１１と結合環４における固定用端部７の内周面７ｃとの間に充填材３０が配置された例である（図８参照）。
【００８５】
充填材３０としては、クッション性を有する材料、例えば、ゴム材料やウレタン材料等が用いられる。
【００８６】
このように連結部１１と固定用端部７の内周面７ｃとの間に充填材３０が配置されることにより、連結部１１と固定用端部７の間に形成された挿入空間９ａが充填材３０によって埋められるため、弾性体９の外筒２に対する弾性力が充填材３０によって補強される。従って、連結部１１の過度の変形を防止することができると共に押当部１２によるレンズ保持部１７に対する良好な押し当て状態を確保することができる。
【００８７】
また、上記した第２の構成例においては、連結部１１の内周面１１ａと固定用端部７の内周面７ｃとが充填材３０に、例えば、両面テープ等によって接着されてもよい。
【００８８】
連結部１１の内周面１１ａと固定用端部７の内周面７ｃとが充填材３０に接着されることにより、充填材３０を介して外筒２と押当部１２が接着されるため、弾性体９が外筒２の内周面から離隔する方向へ変位し難くなり、押当部１２を配置空間２ａに安定した状態で保持することができる。
【００８９】
第３の構成例は、弾性体９に連結部１１から内周側に突出する環状の突部４０が設けられた例である（図９参照）。
【００９０】
レンズ保持部１７の押さえ環１９はレンズ枠１８とともにレンズ２２を保持する機能を有し、押さえ環１９はレンズ枠１８に対して回転されることによりねじ込み部１９ａが螺合部２１ａに螺合されてレンズ２２の前面に押し当てられる。従って、レンズ２２がレンズ枠１８と押さえ環１９によって保持された状態において、万が一、使用者が外筒２の内部に手を挿入して押さえ環１９を操作すると、レンズ２２のレンズ枠１８と押さえ環１９による保持状態が解除されるおそれがある。
【００９１】
そこで、上記したように、弾性体９に連結部１１から内周側に突出する環状の突部４０が設けられることにより、突部４０によって押さえ環１９を被写体側から覆うことが可能になるため、押さえ環１９に手が触れ難くなり、押さえ環１９のレンズ枠１８に対する適正な位置を保持してレンズ２２のレンズ保持部２による保持状態の解除を防止することができる。
【００９２】
＜その他＞
上記には、レンズ保持部１７がレンズ枠１８と押さえ環１９を有する構成にされたが、レンズ保持部１７はレンズ枠１８と押さえ環１９が一体に形成されていてもよい。
【００９３】
但し、レンズ保持部１７がレンズ枠１８と押さえ環１９を有する構成にさることにより、レンズ枠１８に対して押さえ環１９を回転させレンズ枠１９から取り外すことによりレンズ２２を交換することが可能であり、メンテナンス性の向上を図ることができる。
【００９４】
＜撮像装置の一実施形態＞
以下に、本技術撮像装置の一実施形態の構成例について説明する（図１０参照）。
【００９５】
撮像装置１００は、撮像機能を担うレンズ鏡筒１と、撮影された画像信号のアナログ−デジタル変換等の信号処理を行うカメラ信号処理部８１と、画像信号の記録再生処理を行う画像処理部８２とを有している。また、撮像装置１００は、撮影された画像等を表示する表示部（ディスプレイ）８３と、メモリー９０への画像信号の書込及び読出を行うＲ／Ｗ（リーダ／ライタ）８４と、撮像装置１００の全体を制御するＣＰＵ（Central Processing Unit）８５と、ユーザーによって所要の操作が行われる各種のスイッチ等の操作部２０２と、レンズ鏡筒１に配置されたレンズの駆動を制御するレンズ駆動制御部８６とを備えている。
【００９６】
撮像装置１００には、レンズ鏡筒１によって取り込まれた光学像を電気的信号に変換するＣＣＤ（Charge Coupled Device）やＣＭＯＳ（Complementary Metal-Oxide Semiconductor）等の撮像素子２０４が設けられている。
【００９７】
カメラ信号処理部８１は、撮像素子２０４からの出力信号に対するデジタル信号への変換、ノイズ除去、画質補正、輝度・色差信号への変換等の各種の信号処理を行う。
【００９８】
画像処理部８２は、所定の画像データフォーマットに基づく画像信号の圧縮符号化・伸張復号化処理や解像度等のデータ仕様の変換処理等を行う。
【００９９】
表示部８３はユーザーの操作部２０２に対する操作状態や撮影した画像等の各種のデータを表示する機能を有している。尚、撮像装置１００においては、表示部８３が設けられていなくてもよく、撮影された画像データが他の表示装置に送出されて画像が表示されるように構成されていてもよい。
【０１００】
Ｒ／Ｗ８４は、画像処理部８２によって符号化された画像データのメモリー９０への書込及びメモリー９０に記録された画像データの読出を行う。
【０１０１】
ＣＰＵ８５は、撮像装置１００に設けられた各回路ブロックを制御する制御処理部として機能し、操作部２０２からの指示入力信号等に基づいて各回路ブロックを制御する。
【０１０２】
操作部２０２はユーザーによる操作に応じた指示入力信号をＣＰＵ８５に対して出力する。
【０１０３】
レンズ駆動制御部８６は、ＣＰＵ８５からの制御信号に基づいてレンズを移動させる駆動源を制御する。
【０１０４】
メモリー９０は、例えば、Ｒ／Ｗ８４に接続されたスロットに対して着脱可能な半導体メモリーである。
【０１０５】
以下に、撮像装置１００における動作を説明する。
【０１０６】
撮影の待機状態では、ＣＰＵ８５による制御の下で、撮影された画像信号がカメラ信号処理部８１を介して表示部８３に出力され、カメラスルー画像として表示される。また、操作部２０２からの指示入力信号が入力されると、ＣＰＵ８５がレンズ駆動制御部８６に制御信号を出力し、レンズ駆動制御部８６の制御に基づいてレンズが移動される。
【０１０７】
操作部２０２からの指示入力信号により撮影動作が行われると、撮影された画像信号がカメラ信号処理部８１から画像処理部８２に出力されて圧縮符号化処理され、所定のデータフォーマットのデジタルデータに変換される。変換されたデータはＲ／Ｗ８４に出力され、メモリー９０に書き込まれる。
【０１０８】
メモリー９０に記録された画像データを再生する場合には、操作部２０２に対する操作に応じて、Ｒ／Ｗ８４によってメモリー９０から所定の画像データが読み出され、画像処理部８２によって伸張復号化処理が行われた後に、再生画像信号が表示部８３に出力されて再生画像が表示される。
【０１０９】
＜応用例＞
本開示に係る技術は、様々な製品へ応用することができる。例えば、本開示に係る技術は、内視鏡手術システムに適用されてもよい。
【０１１０】
図１１は、本開示に係る技術が適用され得る内視鏡手術システム５０００の概略的な構成の一例を示す図である。図１１では、術者（医師）５０６７が、内視鏡手術システム５０００を用いて、患者ベッド５０６９上の患者５０７１に手術を行っている様子が図示されている。図示するように、内視鏡手術システム５０００は、内視鏡５００１と、その他の術具５０１７と、内視鏡５００１を支持する支持アーム装置５０２７と、内視鏡下手術のための各種の装置が搭載されたカート５０３７と、から構成される。
【０１１１】
内視鏡手術では、腹壁を切って開腹する代わりに、トロッカ５０２５ａ〜５０２５ｄと呼ばれる筒状の開孔器具が腹壁に複数穿刺される。そして、トロッカ５０２５ａ〜５０２５ｄから、内視鏡５００１の鏡筒５００３や、その他の術具５０１７が患者５０７１の体腔内に挿入される。図示する例では、その他の術具５０１７として、気腹チューブ５０１９、エネルギー処置具５０２１及び鉗子５０２３が、患者５０７１の体腔内に挿入されている。また、エネルギー処置具５０２１は、高周波電流や超音波振動により、組織の切開及び剥離、又は血管の封止等を行う処置具である。ただし、図示する術具５０１７はあくまで一例であり、術具５０１７としては、例えば攝子、レトラクタ等、一般的に内視鏡下手術において用いられる各種の術具が用いられてよい。
【０１１２】
内視鏡５００１によって撮影された患者５０７１の体腔内の術部の画像が、表示装置５０４１に表示される。術者５０６７は、表示装置５０４１に表示された術部の画像をリアルタイムで見ながら、エネルギー処置具５０２１や鉗子５０２３を用いて、例えば患部を切除する等の処置を行う。なお、図示は省略しているが、気腹チューブ５０１９、エネルギー処置具５０２１及び鉗子５０２３は、手術中に、術者５０６７又は助手等によって支持される。
【０１１３】
（支持アーム装置）
支持アーム装置５０２７は、ベース部５０２９から延伸するアーム部５０３１を備える。図示する例では、アーム部５０３１は、関節部５０３３ａ、５０３３ｂ、５０３３ｃ、及びリンク５０３５ａ、５０３５ｂから構成されており、アーム制御装置５０４５からの制御により駆動される。アーム部５０３１によって内視鏡５００１が支持され、その位置及び姿勢が制御される。これにより、内視鏡５００１の安定的な位置の固定が実現され得る。
【０１１４】
（内視鏡）
内視鏡５００１は、先端から所定の長さの領域が患者５０７１の体腔内に挿入される鏡筒５００３と、鏡筒５００３の基端に接続されるカメラヘッド５００５と、から構成される。図示する例では、硬性の鏡筒５００３を有するいわゆる硬性鏡として構成される内視鏡５００１を図示しているが、内視鏡５００１は、軟性の鏡筒５００３を有するいわゆる軟性鏡として構成されてもよい。
【０１１５】
鏡筒５００３の先端には、対物レンズが嵌め込まれた開口部が設けられている。内視鏡５００１には光源装置５０４３が接続されており、当該光源装置５０４３によって生成された光が、鏡筒５００３の内部に延設されるライトガイドによって当該鏡筒の先端まで導光され、対物レンズを介して患者５０７１の体腔内の観察対象に向かって照射される。なお、内視鏡５００１は、直視鏡であってもよいし、斜視鏡又は側視鏡であってもよい。
【０１１６】
カメラヘッド５００５の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：Camera  Control  Unit）５０３９に送信される。なお、カメラヘッド５００５には、その光学系を適宜駆動させることにより、倍率及び焦点距離を調整する機能が搭載される。
【０１１７】
なお、例えば立体視（３Ｄ表示）等に対応するために、カメラヘッド５００５には撮像素子が複数設けられてもよい。この場合、鏡筒５００３の内部には、当該複数の撮像素子のそれぞれに観察光を導光するために、リレー光学系が複数系統設けられる。
【０１１８】
（カートに搭載される各種の装置）
ＣＣＵ５０３９は、ＣＰＵ（Central  Processing  Unit）やＧＰＵ（Graphics  Processing  Unit）等によって構成され、内視鏡５００１及び表示装置５０４１の動作を統括的に制御する。具体的には、ＣＣＵ５０３９は、カメラヘッド５００５から受け取った画像信号に対して、例えば現像処理（デモザイク処理）等の、当該画像信号に基づく画像を表示するための各種の画像処理を施す。ＣＣＵ５０３９は、当該画像処理を施した画像信号を表示装置５０４１に提供する。また、ＣＣＵ５０３９は、カメラヘッド５００５に対して制御信号を送信し、その駆動を制御する。当該制御信号には、倍率や焦点距離等、撮像条件に関する情報が含まれ得る。
【０１１９】
表示装置５０４１は、ＣＣＵ５０３９からの制御により、当該ＣＣＵ５０３９によって画像処理が施された画像信号に基づく画像を表示する。内視鏡５００１が例えば４Ｋ（水平画素数３８４０×垂直画素数２１６０）又は８Ｋ（水平画素数７６８０×垂直画素数４３２０）等の高解像度の撮影に対応したものである場合、及び／又は３Ｄ表示に対応したものである場合には、表示装置５０４１としては、それぞれに対応して、高解像度の表示が可能なもの、及び／又は３Ｄ表示可能なものが用いられ得る。４Ｋ又は８Ｋ等の高解像度の撮影に対応したものである場合、表示装置５０４１として５５インチ以上のサイズのものを用いることで一層の没入感が得られる。また、用途に応じて、解像度、サイズが異なる複数の表示装置５０４１が設けられてもよい。
【０１２０】
光源装置５０４３は、例えばＬＥＤ（light  emitting  diode）等の光源から構成され、術部を撮影する際の照射光を内視鏡５００１に供給する。
【０１２１】
アーム制御装置５０４５は、例えばＣＰＵ等のプロセッサによって構成され、所定のプログラムに従って動作することにより、所定の制御方式に従って支持アーム装置５０２７のアーム部５０３１の駆動を制御する。
【０１２２】
入力装置５０４７は、内視鏡手術システム５０００に対する入力インタフェースである。ユーザは、入力装置５０４７を介して、内視鏡手術システム５０００に対して各種の情報の入力や指示入力を行うことができる。例えば、ユーザは、入力装置５０４７を介して、患者の身体情報や、手術の術式についての情報等、手術に関する各種の情報を入力する。また、例えば、ユーザは、入力装置５０４７を介して、アーム部５０３１を駆動させる旨の指示や、内視鏡５００１による撮像条件（照射光の種類、倍率及び焦点距離等）を変更する旨の指示、エネルギー処置具５０２１を駆動させる旨の指示等を入力する。
【０１２３】
入力装置５０４７の種類は限定されず、入力装置５０４７は各種の公知の入力装置であってよい。入力装置５０４７としては、例えば、マウス、キーボード、タッチパネル、スイッチ、フットスイッチ５０５７及び／又はレバー等が適用され得る。入力装置５０４７としてタッチパネルが用いられる場合には、当該タッチパネルは表示装置５０４１の表示面上に設けられてもよい。
【０１２４】
あるいは、入力装置５０４７は、例えばメガネ型のウェアラブルデバイスやＨＭＤ（Head  Mounted  Display）等の、ユーザによって装着されるデバイスであり、これらのデバイスによって検出されるユーザのジェスチャや視線に応じて各種の入力が行われる。また、入力装置５０４７は、ユーザの動きを検出可能なカメラを含み、当該カメラによって撮像された映像から検出されるユーザのジェスチャや視線に応じて各種の入力が行われる。更に、入力装置５０４７は、ユーザの声を収音可能なマイクロフォンを含み、当該マイクロフォンを介して音声によって各種の入力が行われる。このように、入力装置５０４７が非接触で各種の情報を入力可能に構成されることにより、特に清潔域に属するユーザ（例えば術者５０６７）が、不潔域に属する機器を非接触で操作することが可能となる。また、ユーザは、所持している術具から手を離すことなく機器を操作することが可能となるため、ユーザの利便性が向上する。
【０１２５】
処置具制御装置５０４９は、組織の焼灼、切開又は血管の封止等のためのエネルギー処置具５０２１の駆動を制御する。気腹装置５０５１は、内視鏡５００１による視野の確保及び術者の作業空間の確保の目的で、患者５０７１の体腔を膨らめるために、気腹チューブ５０１９を介して当該体腔内にガスを送り込む。レコーダ５０５３は、手術に関する各種の情報を記録可能な装置である。プリンタ５０５５は、手術に関する各種の情報を、テキスト、画像又はグラフ等各種の形式で印刷可能な装置である。
【０１２６】
以下、内視鏡手術システム５０００において特に特徴的な構成について、更に詳細に説明する。
【０１２７】
（支持アーム装置）
支持アーム装置５０２７は、基台であるベース部５０２９と、ベース部５０２９から延伸するアーム部５０３１と、を備える。図示する例では、アーム部５０３１は、複数の関節部５０３３ａ、５０３３ｂ、５０３３ｃと、関節部５０３３ｂによって連結される複数のリンク５０３５ａ、５０３５ｂと、から構成されているが、図１１では、簡単のため、アーム部５０３１の構成を簡略化して図示している。実際には、アーム部５０３１が所望の自由度を有するように、関節部５０３３ａ〜５０３３ｃ及びリンク５０３５ａ、５０３５ｂの形状、数及び配置、並びに関節部５０３３ａ〜５０３３ｃの回転軸の方向等が適宜設定され得る。例えば、アーム部５０３１は、好適に、６自由度以上の自由度を有するように構成され得る。これにより、アーム部５０３１の可動範囲内において内視鏡５００１を自由に移動させることが可能になるため、所望の方向から内視鏡５００１の鏡筒５００３を患者５０７１の体腔内に挿入することが可能になる。
【０１２８】
関節部５０３３ａ〜５０３３ｃにはアクチュエータが設けられており、関節部５０３３ａ〜５０３３ｃは当該アクチュエータの駆動により所定の回転軸まわりに回転可能に構成されている。当該アクチュエータの駆動がアーム制御装置５０４５によって制御されることにより、各関節部５０３３ａ〜５０３３ｃの回転角度が制御され、アーム部５０３１の駆動が制御される。これにより、内視鏡５００１の位置及び姿勢の制御が実現され得る。この際、アーム制御装置５０４５は、力制御又は位置制御等、各種の公知の制御方式によってアーム部５０３１の駆動を制御することができる。
【０１２９】
例えば、術者５０６７が、入力装置５０４７（フットスイッチ５０５７を含む）を介して適宜操作入力を行うことにより、当該操作入力に応じてアーム制御装置５０４５によってアーム部５０３１の駆動が適宜制御され、内視鏡５００１の位置及び姿勢が制御されてよい。当該制御により、アーム部５０３１の先端の内視鏡５００１を任意の位置から任意の位置まで移動させた後、その移動後の位置で固定的に支持することができる。なお、アーム部５０３１は、いわゆるマスタースレイブ方式で操作されてもよい。この場合、アーム部５０３１は、手術室から離れた場所に設置される入力装置５０４７を介してユーザによって遠隔操作され得る。
【０１３０】
また、力制御が適用される場合には、アーム制御装置５０４５は、ユーザからの外力を受け、その外力にならってスムーズにアーム部５０３１が移動するように、各関節部５０３３ａ〜５０３３ｃのアクチュエータを駆動させる、いわゆるパワーアシスト制御を行ってもよい。これにより、ユーザが直接アーム部５０３１に触れながらアーム部５０３１を移動させる際に、比較的軽い力で当該アーム部５０３１を移動させることができる。従って、より直感的に、より簡易な操作で内視鏡５００１を移動させることが可能となり、ユーザの利便性を向上させることができる。
【０１３１】
ここで、一般的に、内視鏡下手術では、スコピストと呼ばれる医師によって内視鏡５００１が支持されていた。これに対して、支持アーム装置５０２７を用いることにより、人手によらずに内視鏡５００１の位置をより確実に固定することが可能になるため、術部の画像を安定的に得ることができ、手術を円滑に行うことが可能になる。
【０１３２】
なお、アーム制御装置５０４５は必ずしもカート５０３７に設けられなくてもよい。また、アーム制御装置５０４５は必ずしも１つの装置でなくてもよい。例えば、アーム制御装置５０４５は、支持アーム装置５０２７のアーム部５０３１の各関節部５０３３ａ〜５０３３ｃにそれぞれ設けられてもよく、複数のアーム制御装置５０４５が互いに協働することにより、アーム部５０３１の駆動制御が実現されてもよい。
【０１３３】
（光源装置）
光源装置５０４３は、内視鏡５００１に術部を撮影する際の照射光を供給する。光源装置５０４３は、例えばＬＥＤ、レーザ光源又はこれらの組み合わせによって構成される白色光源から構成される。このとき、ＲＧＢレーザ光源の組み合わせにより白色光源が構成される場合には、各色（各波長）の出力強度及び出力タイミングを高精度に制御することができるため、光源装置５０４３において撮像画像のホワイトバランスの調整を行うことができる。また、この場合には、ＲＧＢレーザ光源それぞれからのレーザ光を時分割で観察対象に照射し、その照射タイミングに同期してカメラヘッド５００５の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０１３４】
また、光源装置５０４３は、出力する光の強度を所定の時間ごとに変更するようにその駆動が制御されてもよい。その光の強度の変更のタイミングに同期してカメラヘッド５００５の撮像素子の駆動を制御して時分割で画像を取得し、その画像を合成することにより、いわゆる黒つぶれ及び白とびのない高ダイナミックレンジの画像を生成することができる。
【０１３５】
また、光源装置５０４３は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Narrow  Band  Imaging）が行われる。あるいは、特殊光観察では、励起光を照射することにより発生する蛍光により画像を得る蛍光観察が行われてもよい。蛍光観察では、体組織に励起光を照射し当該体組織からの蛍光を観察するもの（自家蛍光観察）、又はインドシアニングリーン（ICG）等の試薬を体組織に局注するとともに当該体組織にその試薬の蛍光波長に対応した励起光を照射し蛍光像を得るもの等が行われ得る。光源装置５０４３は、このような特殊光観察に対応した狭帯域光及び／又は励起光を供給可能に構成され得る。
【０１３６】
（カメラヘッド及びＣＣＵ）
図１２を参照して、内視鏡５００１のカメラヘッド５００５及びＣＣＵ５０３９の機能についてより詳細に説明する。図１２は、図１１に示すカメラヘッド５００５及びＣＣＵ５０３９の機能構成の一例を示すブロック図である。
【０１３７】
図１２を参照すると、カメラヘッド５００５は、その機能として、レンズユニット５００７と、撮像部５００９と、駆動部５０１１と、通信部５０１３と、カメラヘッド制御部５０１５と、を有する。また、ＣＣＵ５０３９は、その機能として、通信部５０５９と、画像処理部５０６１と、制御部５０６３と、を有する。カメラヘッド５００５とＣＣＵ５０３９とは、伝送ケーブル５０６５によって双方向に通信可能に接続されている。
【０１３８】
まず、カメラヘッド５００５の機能構成について説明する。レンズユニット５００７は、鏡筒５００３との接続部に設けられる光学系である。鏡筒５００３の先端から取り込まれた観察光は、カメラヘッド５００５まで導光され、当該レンズユニット５００７に入射する。レンズユニット５００７は、ズームレンズ及びフォーカスレンズを含む複数のレンズが組み合わされて構成される。レンズユニット５００７は、撮像部５００９の撮像素子の受光面上に観察光を集光するように、その光学特性が調整されている。また、ズームレンズ及びフォーカスレンズは、撮像画像の倍率及び焦点の調整のため、その光軸上の位置が移動可能に構成される。
【０１３９】
撮像部５００９は撮像素子によって構成され、レンズユニット５００７の後段に配置される。レンズユニット５００７を通過した観察光は、当該撮像素子の受光面に集光され、光電変換によって、観察像に対応した画像信号が生成される。撮像部５００９によって生成された画像信号は、通信部５０１３に提供される。
【０１４０】
撮像部５００９を構成する撮像素子としては、例えばＣＭＯＳ（Complementary  Metal  Oxide  Semiconductor）タイプのイメージセンサであり、Ｂａｙｅｒ配列を有するカラー撮影可能なものが用いられる。なお、当該撮像素子としては、例えば４Ｋ以上の高解像度の画像の撮影に対応可能なものが用いられてもよい。術部の画像が高解像度で得られることにより、術者５０６７は、当該術部の様子をより詳細に把握することができ、手術をより円滑に進行することが可能となる。
【０１４１】
また、撮像部５００９を構成する撮像素子は、３Ｄ表示に対応する右目用及び左目用の画像信号をそれぞれ取得するための１対の撮像素子を有するように構成される。３Ｄ表示が行われることにより、術者５０６７は術部における生体組織の奥行きをより正確に把握することが可能になる。なお、撮像部５００９が多板式で構成される場合には、各撮像素子に対応して、レンズユニット５００７も複数系統設けられる。
【０１４２】
また、撮像部５００９は、必ずしもカメラヘッド５００５に設けられなくてもよい。例えば、撮像部５００９は、鏡筒５００３の内部に、対物レンズの直後に設けられてもよい。
【０１４３】
駆動部５０１１は、アクチュエータによって構成され、カメラヘッド制御部５０１５からの制御により、レンズユニット５００７のズームレンズ及びフォーカスレンズを光軸に沿って所定の距離だけ移動させる。これにより、撮像部５００９による撮像画像の倍率及び焦点が適宜調整され得る。
【０１４４】
通信部５０１３は、ＣＣＵ５０３９との間で各種の情報を送受信するための通信装置によって構成される。通信部５０１３は、撮像部５００９から得た画像信号をＲＡＷデータとして伝送ケーブル５０６５を介してＣＣＵ５０３９に送信する。この際、術部の撮像画像を低レイテンシで表示するために、当該画像信号は光通信によって送信されることが好ましい。手術の際には、術者５０６７が撮像画像によって患部の状態を観察しながら手術を行うため、より安全で確実な手術のためには、術部の動画像が可能な限りリアルタイムに表示されることが求められるからである。光通信が行われる場合には、通信部５０１３には、電気信号を光信号に変換する光電変換モジュールが設けられる。画像信号は当該光電変換モジュールによって光信号に変換された後、伝送ケーブル５０６５を介してＣＣＵ５０３９に送信される。
【０１４５】
また、通信部５０１３は、ＣＣＵ５０３９から、カメラヘッド５００５の駆動を制御するための制御信号を受信する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。通信部５０１３は、受信した制御信号をカメラヘッド制御部５０１５に提供する。なお、ＣＣＵ５０３９からの制御信号も、光通信によって伝送されてもよい。この場合、通信部５０１３には、光信号を電気信号に変換する光電変換モジュールが設けられ、制御信号は当該光電変換モジュールによって電気信号に変換された後、カメラヘッド制御部５０１５に提供される。
【０１４６】
なお、上記のフレームレートや露出値、倍率、焦点等の撮像条件は、取得された画像信号に基づいてＣＣＵ５０３９の制御部５０６３によって自動的に設定される。つまり、いわゆるＡＥ（Auto  Exposure）機能、ＡＦ（Auto  Focus）機能及びＡＷＢ（Auto  White  Balance）機能が内視鏡５００１に搭載される。
【０１４７】
カメラヘッド制御部５０１５は、通信部５０１３を介して受信したＣＣＵ５０３９からの制御信号に基づいて、カメラヘッド５００５の駆動を制御する。例えば、カメラヘッド制御部５０１５は、撮像画像のフレームレートを指定する旨の情報及び／又は撮像時の露光を指定する旨の情報に基づいて、撮像部５００９の撮像素子の駆動を制御する。また、例えば、カメラヘッド制御部５０１５は、撮像画像の倍率及び焦点を指定する旨の情報に基づいて、駆動部５０１１を介してレンズユニット５００７のズームレンズ及びフォーカスレンズを適宜移動させる。カメラヘッド制御部５０１５は、更に、鏡筒５００３やカメラヘッド５００５を識別するための情報を記憶する機能を備えてもよい。
【０１４８】
なお、レンズユニット５００７や撮像部５００９等の構成を、気密性及び防水性が高い密閉構造内に配置することで、カメラヘッド５００５について、オートクレーブ滅菌処理に対する耐性を持たせることができる。
【０１４９】
次に、ＣＣＵ５０３９の機能構成について説明する。通信部５０５９は、カメラヘッド５００５との間で各種の情報を送受信するための通信装置によって構成される。通信部５０５９は、カメラヘッド５００５から、伝送ケーブル５０６５を介して送信される画像信号を受信する。この際、上記のように、当該画像信号は好適に光通信によって送信され得る。この場合、光通信に対応して、通信部５０５９には、光信号を電気信号に変換する光電変換モジュールが設けられる。通信部５０５９は、電気信号に変換した画像信号を画像処理部５０６１に提供する。
【０１５０】
また、通信部５０５９は、カメラヘッド５００５に対して、カメラヘッド５００５の駆動を制御するための制御信号を送信する。当該制御信号も光通信によって送信されてよい。
【０１５１】
画像処理部５０６１は、カメラヘッド５００５から送信されたＲＡＷデータである画像信号に対して各種の画像処理を施す。当該画像処理としては、例えば現像処理、高画質化処理（帯域強調処理、超解像処理、ＮＲ（Noise  reduction）処理及び／又は手ブレ補正処理等）、並びに／又は拡大処理（電子ズーム処理）等、各種の公知の信号処理が含まれる。また、画像処理部５０６１は、ＡＥ、ＡＦ及びＡＷＢを行うための、画像信号に対する検波処理を行う。
【０１５２】
画像処理部５０６１は、ＣＰＵやＧＰＵ等のプロセッサによって構成され、当該プロセッサが所定のプログラムに従って動作することにより、上述した画像処理や検波処理が行われ得る。なお、画像処理部５０６１が複数のＧＰＵによって構成される場合には、画像処理部５０６１は、画像信号に係る情報を適宜分割し、これら複数のＧＰＵによって並列的に画像処理を行う。
【０１５３】
制御部５０６３は、内視鏡５００１による術部の撮像、及びその撮像画像の表示に関する各種の制御を行う。例えば、制御部５０６３は、カメラヘッド５００５の駆動を制御するための制御信号を生成する。この際、撮像条件がユーザによって入力されている場合には、制御部５０６３は、当該ユーザによる入力に基づいて制御信号を生成する。あるいは、内視鏡５００１にＡＥ機能、ＡＦ機能及びＡＷＢ機能が搭載されている場合には、制御部５０６３は、画像処理部５０６１による検波処理の結果に応じて、最適な露出値、焦点距離及びホワイトバランスを適宜算出し、制御信号を生成する。
【０１５４】
また、制御部５０６３は、画像処理部５０６１によって画像処理が施された画像信号に基づいて、術部の画像を表示装置５０４１に表示させる。この際、制御部５０６３は、各種の画像認識技術を用いて術部画像内における各種の物体を認識する。例えば、制御部５０６３は、術部画像に含まれる物体のエッジの形状や色等を検出することにより、鉗子等の術具、特定の生体部位、出血、エネルギー処置具５０２１使用時のミスト等を認識することができる。制御部５０６３は、表示装置５０４１に術部の画像を表示させる際に、その認識結果を用いて、各種の手術支援情報を当該術部の画像に重畳表示させる。手術支援情報が重畳表示され、術者５０６７に提示されることにより、より安全かつ確実に手術を進めることが可能になる。
【０１５５】
カメラヘッド５００５及びＣＣＵ５０３９を接続する伝送ケーブル５０６５は、電気信号の通信に対応した電気信号ケーブル、光通信に対応した光ファイバ、又はこれらの複合ケーブルである。
【０１５６】
ここで、図示する例では、伝送ケーブル５０６５を用いて有線で通信が行われていたが、カメラヘッド５００５とＣＣＵ５０３９との間の通信は無線で行われてもよい。両者の間の通信が無線で行われる場合には、伝送ケーブル５０６５を手術室内に敷設する必要がなくなるため、手術室内における医療スタッフの移動が当該伝送ケーブル５０６５によって妨げられる事態が解消され得る。
【０１５７】
以上、本開示に係る技術が適用され得る内視鏡手術システム５０００の一例について説明した。なお、ここでは、一例として内視鏡手術システム５０００について説明したが、本開示に係る技術が適用され得るシステムはかかる例に限定されない。例えば、本開示に係る技術は、検査用軟性内視鏡システムや顕微鏡手術システムに適用されてもよい。
【０１５８】
本開示に係る技術は、以上説明した構成のうち、レンズ鏡筒等のレンズ鏡筒及び撮像装置に好適に適用され得る。具体的には、より鮮明な術部画像を得ることができるため、手術をより安全にかつより確実に行うことが可能になる。
【０１５９】
本開示に係る技術は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット、建設機械、農業機械（トラクター）などのいずれかの種類の移動体に搭載される装置として実現されてもよい。
【０１６０】
図１３は、本開示に係る技術が適用され得る移動体制御システムの一例である車両制御システム７０００の概略的な構成例を示すブロック図である。車両制御システム７０００は、通信ネットワーク７０１０を介して接続された複数の電子制御ユニットを備える。図１３に示した例では、車両制御システム７０００は、駆動系制御ユニット７１００、ボディ系制御ユニット７２００、バッテリ制御ユニット７３００、車外情報検出ユニット７４００、車内情報検出ユニット７５００、及び統合制御ユニット７６００を備える。これらの複数の制御ユニットを接続する通信ネットワーク７０１０は、例えば、ＣＡＮ（Controller  Area  Network）、ＬＩＮ（Local  Interconnect  Network）、ＬＡＮ（Local  Area  Network）又はＦｌｅｘＲａｙ（登録商標）等の任意の規格に準拠した車載通信ネットワークであってよい。
【０１６１】
各制御ユニットは、各種プログラムにしたがって演算処理を行うマイクロコンピュータと、マイクロコンピュータにより実行されるプログラム又は各種演算に用いられるパラメータ等を記憶する記憶部と、各種制御対象の装置を駆動する駆動回路とを備える。各制御ユニットは、通信ネットワーク７０１０を介して他の制御ユニットとの間で通信を行うためのネットワークＩ／Ｆを備えるとともに、車内外の装置又はセンサ等との間で、有線通信又は無線通信により通信を行うための通信Ｉ／Ｆを備える。図１３では、統合制御ユニット７６００の機能構成として、マイクロコンピュータ７６１０、汎用通信Ｉ／Ｆ７６２０、専用通信Ｉ／Ｆ７６３０、測位部７６４０、ビーコン受信部７６５０、車内機器Ｉ／Ｆ７６６０、音声画像出力部７６７０、車載ネットワークＩ／Ｆ７６８０及び記憶部７６９０が図示されている。他の制御ユニットも同様に、マイクロコンピュータ、通信Ｉ／Ｆ及び記憶部等を備える。
【０１６２】
駆動系制御ユニット７１００は、各種プログラムにしたがって車両の駆動系に関連する装置の動作を制御する。例えば、駆動系制御ユニット７１００は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。駆動系制御ユニット７１００は、ＡＢＳ（Antilock  Brake  System）又はＥＳＣ（Electronic  Stability  Control）等の制御装置としての機能を有してもよい。
【０１６３】
駆動系制御ユニット７１００には、車両状態検出部７１１０が接続される。車両状態検出部７１１０には、例えば、車体の軸回転運動の角速度を検出するジャイロセンサ、車両の加速度を検出する加速度センサ、あるいは、アクセルペダルの操作量、ブレーキペダルの操作量、ステアリングホイールの操舵角、エンジン回転数又は車輪の回転速度等を検出するためのセンサのうちの少なくとも一つが含まれる。駆動系制御ユニット７１００は、車両状態検出部７１１０から入力される信号を用いて演算処理を行い、内燃機関、駆動用モータ、電動パワーステアリング装置又はブレーキ装置等を制御する。
【０１６４】
ボディ系制御ユニット７２００は、各種プログラムにしたがって車体に装備された各種装置の動作を制御する。例えば、ボディ系制御ユニット７２００は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット７２００には、鍵を代替する携帯機から発信される電波又は各種スイッチの信号が入力され得る。ボディ系制御ユニット７２００は、これらの電波又は信号の入力を受け付け、車両のドアロック装置、パワーウィンドウ装置、ランプ等を制御する。
【０１６５】
バッテリ制御ユニット７３００は、各種プログラムにしたがって駆動用モータの電力供給源である二次電池７３１０を制御する。例えば、バッテリ制御ユニット７３００には、二次電池７３１０を備えたバッテリ装置から、バッテリ温度、バッテリ出力電圧又はバッテリの残存容量等の情報が入力される。バッテリ制御ユニット７３００は、これらの信号を用いて演算処理を行い、二次電池７３１０の温度調節制御又はバッテリ装置に備えられた冷却装置等の制御を行う。
【０１６６】
車外情報検出ユニット７４００は、車両制御システム７０００を搭載した車両の外部の情報を検出する。例えば、車外情報検出ユニット７４００には、撮像部７４１０及び車外情報検出部７４２０のうちの少なくとも一方が接続される。撮像部７４１０には、ＴｏＦ（Time  Of  Flight）カメラ、ステレオカメラ、単眼カメラ、赤外線カメラ及びその他のカメラのうちの少なくとも一つが含まれる。車外情報検出部７４２０には、例えば、現在の天候又は気象を検出するための環境センサ、あるいは、車両制御システム７０００を搭載した車両の周囲の他の車両、障害物又は歩行者等を検出するための周囲情報検出センサのうちの少なくとも一つが含まれる。
【０１６７】
環境センサは、例えば、雨天を検出する雨滴センサ、霧を検出する霧センサ、日照度合いを検出する日照センサ、及び降雪を検出する雪センサのうちの少なくとも一つであってよい。周囲情報検出センサは、超音波センサ、レーダ装置及びＬＩＤＡＲ（Light  Detection  and  Ranging、Laser  Imaging  Detection  and  Ranging）装置のうちの少なくとも一つであってよい。これらの撮像部７４１０及び車外情報検出部７４２０は、それぞれ独立したセンサないし装置として備えられてもよいし、複数のセンサないし装置が統合された装置として備えられてもよい。
【０１６８】
ここで、図１４は、撮像部７４１０及び車外情報検出部７４２０の設置位置の例を示す。撮像部７９１０，７９１２，７９１４，７９１６，７９１８は、例えば、車両７９００のフロントノーズ、サイドミラー、リアバンパ、バックドア及び車室内のフロントガラスの上部のうちの少なくとも一つの位置に設けられる。フロントノーズに備えられる撮像部７９１０及び車室内のフロントガラスの上部に備えられる撮像部７９１８は、主として車両７９００の前方の画像を取得する。サイドミラーに備えられる撮像部７９１２，７９１４は、主として車両７９００の側方の画像を取得する。リアバンパ又はバックドアに備えられる撮像部７９１６は、主として車両７９００の後方の画像を取得する。車室内のフロントガラスの上部に備えられる撮像部７９１８は、主として先行車両又は、歩行者、障害物、信号機、交通標識又は車線等の検出に用いられる。
【０１６９】
なお、図１４には、それぞれの撮像部７９１０，７９１２，７９１４，７９１６の撮影範囲の一例が示されている。撮像範囲ａは、フロントノーズに設けられた撮像部７９１０の撮像範囲を示し、撮像範囲ｂ，ｃは、それぞれサイドミラーに設けられた撮像部７９１２，７９１４の撮像範囲を示し、撮像範囲ｄは、リアバンパ又はバックドアに設けられた撮像部７９１６の撮像範囲を示す。例えば、撮像部７９１０，７９１２，７９１４，７９１６で撮像された画像データが重ね合わせられることにより、車両７９００を上方から見た俯瞰画像が得られる。
【０１７０】
車両７９００のフロント、リア、サイド、コーナ及び車室内のフロントガラスの上部に設けられる車外情報検出部７９２０，７９２２，７９２４，７９２６，７９２８，７９３０は、例えば超音波センサ又はレーダ装置であってよい。車両７９００のフロントノーズ、リアバンパ、バックドア及び車室内のフロントガラスの上部に設けられる車外情報検出部７９２０，７９２６，７９３０は、例えばＬＩＤＡＲ装置であってよい。これらの車外情報検出部７９２０〜７９３０は、主として先行車両、歩行者又は障害物等の検出に用いられる。
【０１７１】
図１３に戻って説明を続ける。車外情報検出ユニット７４００は、撮像部７４１０に車外の画像を撮像させるとともに、撮像された画像データを受信する。また、車外情報検出ユニット７４００は、接続されている車外情報検出部７４２０から検出情報を受信する。車外情報検出部７４２０が超音波センサ、レーダ装置又はＬＩＤＡＲ装置である場合には、車外情報検出ユニット７４００は、超音波又は電磁波等を発信させるとともに、受信された反射波の情報を受信する。車外情報検出ユニット７４００は、受信した情報に基づいて、人、車、障害物、標識又は路面上の文字等の物体検出処理又は距離検出処理を行ってもよい。車外情報検出ユニット７４００は、受信した情報に基づいて、降雨、霧又は路面状況等を認識する環境認識処理を行ってもよい。車外情報検出ユニット７４００は、受信した情報に基づいて、車外の物体までの距離を算出してもよい。
【０１７２】
また、車外情報検出ユニット７４００は、受信した画像データに基づいて、人、車、障害物、標識又は路面上の文字等を認識する画像認識処理又は距離検出処理を行ってもよい。車外情報検出ユニット７４００は、受信した画像データに対して歪補正又は位置合わせ等の処理を行うとともに、異なる撮像部７４１０により撮像された画像データを合成して、俯瞰画像又はパノラマ画像を生成してもよい。車外情報検出ユニット７４００は、異なる撮像部７４１０により撮像された画像データを用いて、視点変換処理を行ってもよい。
【０１７３】
車内情報検出ユニット７５００は、車内の情報を検出する。車内情報検出ユニット７５００には、例えば、運転者の状態を検出する運転者状態検出部７５１０が接続される。運転者状態検出部７５１０は、運転者を撮像するカメラ、運転者の生体情報を検出する生体センサ又は車室内の音声を集音するマイク等を含んでもよい。生体センサは、例えば、座面又はステアリングホイール等に設けられ、座席に座った搭乗者又はステアリングホイールを握る運転者の生体情報を検出する。車内情報検出ユニット７５００は、運転者状態検出部７５１０から入力される検出情報に基づいて、運転者の疲労度合い又は集中度合いを算出してもよいし、運転者が居眠りをしていないかを判別してもよい。車内情報検出ユニット７５００は、集音された音声信号に対してノイズキャンセリング処理等の処理を行ってもよい。
【０１７４】
統合制御ユニット７６００は、各種プログラムにしたがって車両制御システム７０００内の動作全般を制御する。統合制御ユニット７６００には、入力部７８００が接続されている。入力部７８００は、例えば、タッチパネル、ボタン、マイクロフォン、スイッチ又はレバー等、搭乗者によって入力操作され得る装置によって実現される。統合制御ユニット７６００には、マイクロフォンにより入力される音声を音声認識することにより得たデータが入力されてもよい。入力部７８００は、例えば、赤外線又はその他の電波を利用したリモートコントロール装置であってもよいし、車両制御システム７０００の操作に対応した携帯電話又はＰＤＡ（Personal  Digital  Assistant）等の外部接続機器であってもよい。入力部７８００は、例えばカメラであってもよく、その場合搭乗者はジェスチャにより情報を入力することができる。あるいは、搭乗者が装着したウェアラブル装置の動きを検出することで得られたデータが入力されてもよい。さらに、入力部７８００は、例えば、上記の入力部７８００を用いて搭乗者等により入力された情報に基づいて入力信号を生成し、統合制御ユニット７６００に出力する入力制御回路などを含んでもよい。搭乗者等は、この入力部７８００を操作することにより、車両制御システム７０００に対して各種のデータを入力したり処理動作を指示したりする。
【０１７５】
記憶部７６９０は、マイクロコンピュータにより実行される各種プログラムを記憶するＲＯＭ（Read  Only  Memory）、及び各種パラメータ、演算結果又はセンサ値等を記憶するＲＡＭ（Random  Access  Memory）を含んでいてもよい。また、記憶部７６９０は、ＨＤＤ（Hard  Disc  Drive）等の磁気記憶デバイス、半導体記憶デバイス、光記憶デバイス又は光磁気記憶デバイス等によって実現してもよい。
【０１７６】
汎用通信Ｉ／Ｆ７６２０は、外部環境７７５０に存在する様々な機器との間の通信を仲介する汎用的な通信Ｉ／Ｆである。汎用通信Ｉ／Ｆ７６２０は、ＧＳＭ（登録商標）（Global  System  of  Mobile  communications）、ＷｉＭＡＸ（登録商標）、ＬＴＥ（登録商標）（Long  Term  Evolution）若しくはＬＴＥ−Ａ（LTE−Advanced）などのセルラー通信プロトコル、又は無線ＬＡＮ（Ｗｉ−Ｆｉ（登録商標）ともいう）、Ｂｌｕｅｔｏｏｔｈ（登録商標）などのその他の無線通信プロトコルを実装してよい。汎用通信Ｉ／Ｆ７６２０は、例えば、基地局又はアクセスポイントを介して、外部ネットワーク（例えば、インターネット、クラウドネットワーク又は事業者固有のネットワーク）上に存在する機器（例えば、アプリケーションサーバ又は制御サーバ）へ接続してもよい。また、汎用通信Ｉ／Ｆ７６２０は、例えばＰ２Ｐ（Peer  To  Peer）技術を用いて、車両の近傍に存在する端末（例えば、運転者、歩行者若しくは店舗の端末、又はＭＴＣ（Machine  Type  Communication）端末）と接続してもよい。
【０１７７】
専用通信Ｉ／Ｆ７６３０は、車両における使用を目的として策定された通信プロトコルをサポートする通信Ｉ／Ｆである。専用通信Ｉ／Ｆ７６３０は、例えば、下位レイヤのＩＥＥＥ８０２．１１ｐと上位レイヤのＩＥＥＥ１６０９との組合せであるＷＡＶＥ（Wireless  Access  in  Vehicle  Environment）、ＤＳＲＣ（Dedicated  Short  Range  Communications）、又はセルラー通信プロトコルといった標準プロトコルを実装してよい。専用通信Ｉ／Ｆ７６３０は、典型的には、車車間（Vehicle  to  Vehicle）通信、路車間（Vehicle  to  Infrastructure）通信、車両と家との間（Vehicle  to  Home）の通信及び歩車間（Vehicle  to  Pedestrian）通信のうちの１つ以上を含む概念であるＶ２Ｘ通信を遂行する。
【０１７８】
測位部７６４０は、例えば、ＧＮＳＳ（Global  Navigation  Satellite  System）衛星からのＧＮＳＳ信号（例えば、ＧＰＳ（Global  Positioning  System）衛星からのＧＰＳ信号）を受信して測位を実行し、車両の緯度、経度及び高度を含む位置情報を生成する。なお、測位部７６４０は、無線アクセスポイントとの信号の交換により現在位置を特定してもよく、又は測位機能を有する携帯電話、ＰＨＳ若しくはスマートフォンといった端末から位置情報を取得してもよい。
【０１７９】
ビーコン受信部７６５０は、例えば、道路上に設置された無線局等から発信される電波あるいは電磁波を受信し、現在位置、渋滞、通行止め又は所要時間等の情報を取得する。なお、ビーコン受信部７６５０の機能は、上述した専用通信Ｉ／Ｆ７６３０に含まれてもよい。
【０１８０】
車内機器Ｉ／Ｆ７６６０は、マイクロコンピュータ７６１０と車内に存在する様々な車内機器７７６０との間の接続を仲介する通信インタフェースである。車内機器Ｉ／Ｆ７６６０は、無線ＬＡＮ、Ｂｌｕｅｔｏｏｔｈ（登録商標）、ＮＦＣ（Near  Field  Communication）又はＷＵＳＢ（Wireless  USB）といった無線通信プロトコルを用いて無線接続を確立してもよい。また、車内機器Ｉ／Ｆ７６６０は、図示しない接続端子（及び、必要であればケーブル）を介して、ＵＳＢ（Universal  Serial  Bus）、ＨＤＭＩ（登録商標）（High-Definition  Multimedia  Interface、又はＭＨＬ（Mobile  High-definition  Link）等の有線接続を確立してもよい。車内機器７７６０は、例えば、搭乗者が有するモバイル機器若しくはウェアラブル機器、又は車両に搬入され若しくは取り付けられる情報機器のうちの少なくとも１つを含んでいてもよい。また、車内機器７７６０は、任意の目的地までの経路探索を行うナビゲーション装置を含んでいてもよい。車内機器Ｉ／Ｆ７６６０は、これらの車内機器７７６０との間で、制御信号又はデータ信号を交換する。
【０１８１】
車載ネットワークＩ／Ｆ７６８０は、マイクロコンピュータ７６１０と通信ネットワーク７０１０との間の通信を仲介するインタフェースである。車載ネットワークＩ／Ｆ７６８０は、通信ネットワーク７０１０によりサポートされる所定のプロトコルに則して、信号等を送受信する。
【０１８２】
統合制御ユニット７６００のマイクロコンピュータ７６１０は、汎用通信Ｉ／Ｆ７６２０、専用通信Ｉ／Ｆ７６３０、測位部７６４０、ビーコン受信部７６５０、車内機器Ｉ／Ｆ７６６０及び車載ネットワークＩ／Ｆ７６８０のうちの少なくとも一つを介して取得される情報に基づき、各種プログラムにしたがって、車両制御システム７０００を制御する。例えば、マイクロコンピュータ７６１０は、取得される車内外の情報に基づいて、駆動力発生装置、ステアリング機構又は制動装置の制御目標値を演算し、駆動系制御ユニット７１００に対して制御指令を出力してもよい。例えば、マイクロコンピュータ７６１０は、車両の衝突回避あるいは衝撃緩和、車間距離に基づく追従走行、車速維持走行、車両の衝突警告、又は車両のレーン逸脱警告等を含むＡＤＡＳ（Advanced  Driver  Assistance  System）の機能実現を目的とした協調制御を行ってもよい。また、マイクロコンピュータ７６１０は、取得される車両の周囲の情報に基づいて駆動力発生装置、ステアリング機構又は制動装置等を制御することにより、運転者の操作に拠らずに自律的に走行する自動運転等を目的とした協調制御を行ってもよい。
【０１８３】
マイクロコンピュータ７６１０は、汎用通信Ｉ／Ｆ７６２０、専用通信Ｉ／Ｆ７６３０、測位部７６４０、ビーコン受信部７６５０、車内機器Ｉ／Ｆ７６６０及び車載ネットワークＩ／Ｆ７６８０のうちの少なくとも一つを介して取得される情報に基づき、車両と周辺の構造物や人物等の物体との間の３次元距離情報を生成し、車両の現在位置の周辺情報を含むローカル地図情報を作成してもよい。また、マイクロコンピュータ７６１０は、取得される情報に基づき、車両の衝突、歩行者等の近接又は通行止めの道路への進入等の危険を予測し、警告用信号を生成してもよい。警告用信号は、例えば、警告音を発生させたり、警告ランプを点灯させたりするための信号であってよい。
【０１８４】
音声画像出力部７６７０は、車両の搭乗者又は車外に対して、視覚的又は聴覚的に情報を通知することが可能な出力装置へ音声及び画像のうちの少なくとも一方の出力信号を送信する。図１３の例では、出力装置として、オーディオスピーカ７７１０、表示部７７２０及びインストルメントパネル７７３０が例示されている。表示部７７２０は、例えば、オンボードディスプレイ及びヘッドアップディスプレイの少なくとも一つを含んでいてもよい。表示部７７２０は、ＡＲ（Augmented  Reality）表示機能を有していてもよい。出力装置は、これらの装置以外の、ヘッドホン、搭乗者が装着する眼鏡型ディスプレイ等のウェアラブルデバイス、プロジェクタ又はランプ等の他の装置であってもよい。出力装置が表示装置の場合、表示装置は、マイクロコンピュータ７６１０が行った各種処理により得られた結果又は他の制御ユニットから受信された情報を、テキスト、イメージ、表、グラフ等、様々な形式で視覚的に表示する。また、出力装置が音声出力装置の場合、音声出力装置は、再生された音声データ又は音響データ等からなるオーディオ信号をアナログ信号に変換して聴覚的に出力する。
【０１８５】
なお、図１３に示した例において、通信ネットワーク７０１０を介して接続された少なくとも二つの制御ユニットが一つの制御ユニットとして一体化されてもよい。あるいは、個々の制御ユニットが、複数の制御ユニットにより構成されてもよい。さらに、車両制御システム７０００が、図示されていない別の制御ユニットを備えてもよい。また、上記の説明において、いずれかの制御ユニットが担う機能の一部又は全部を、他の制御ユニットに持たせてもよい。つまり、通信ネットワーク７０１０を介して情報の送受信がされるようになっていれば、所定の演算処理が、いずれかの制御ユニットで行われるようになってもよい。同様に、いずれかの制御ユニットに接続されているセンサ又は装置が、他の制御ユニットに接続されるとともに、複数の制御ユニットが、通信ネットワーク７０１０を介して相互に検出情報を送受信してもよい。
【０１８６】
＜本技術＞
本技術は、以下のような構成にすることもできる。
【０１８７】
（１）
軸方向が光軸方向にされ内部空間が配置空間として形成されると共に被写体側の端部が固定用端部として設けられた外筒と、
前記配置空間に配置されレンズを保持する環状のレンズ保持部と、
前記固定用端部に固定される固定部と弾性変形可能にされ前記レンズ保持部の外周面に押し当てられる押当部を有し環状に形成された弾性体とを備えた
レンズ鏡筒。
【０１８８】
（２）
前記固定部に少なくとも前記固定用端部の先端面に固定される第１の部分が設けられた
前記（１）に記載のレンズ鏡筒。
【０１８９】
（３）
前記固定部に前記固定用端部の先端面を覆う第１の部分と前記固定用端部の外周面に固定される第２の部分とが設けられた
前記（１）に記載のレンズ鏡筒。
【０１９０】
（４）
前記弾性体における前記押当部と前記固定部の間の部分が前記配置空間に位置される連結部として設けられ、
前記外筒の内周面と前記連結部との間に充填材が設けられた
前記（１）から前記（３）の何れかに記載のレンズ鏡筒。
【０１９１】
（５）
前記外筒の内周面と前記連結部の外周面とが前記充填材に接着された
前記（４）に記載のレンズ鏡筒。
【０１９２】
（６）
前記弾性体における前記押当部と前記固定部の間の部分が前記配置空間に位置される連結部として設けられ、
前記弾性体には前記連結部から内周側に突出する環状の突部が設けられた
前記（１）から前記（５）の何れかに記載のレンズ鏡筒。
【０１９３】
（７）
前記押当部には、前記レンズ保持部の外周面に押し当てられる接触部と、前記接触部の被写体と反対側の一端に連続され前記接触部に対して前記外筒の内周面に近付く方向へ屈曲された屈曲部とが設けられた
前記（１）から前記（６）の何れかに記載のレンズ鏡筒。
【０１９４】
（８）
前記レンズ保持部が環状のレンズ枠と前記レンズを前記レンズ枠に押し付け被写体側の端部が前記レンズ枠より被写体側に位置された押さえ環とを有し、
前記押当部が前記押さえ環の外周面に押し当てられた
前記（１）から前記（７）の何れかに記載のレンズ鏡筒。
【０１９５】
（９）
光学像を取り込むレンズ鏡筒と取り込まれた光学像を電気的信号に変換する撮像素子とを備え、
前記レンズ鏡筒は、
軸方向が光軸方向にされ内部空間が配置空間として形成されると共に被写体側の端部が固定用端部として設けられた外筒と、
前記配置空間に配置されレンズを保持する環状のレンズ保持部と、
前記固定用端部に固定される固定部と弾性変形可能にされ前記レンズ保持部の外周面に押し当てられる押当部を有し環状に形成された弾性体とを備えた
撮像装置。
【符号の説明】
【０１９６】
１００…撮像装置、２０４…撮像素子、１…レンズ鏡筒、２…外筒、７…固定用端部、９…弾性体、１０…固定部、１１…連結部、１２…押当部、１３…第１の部分、１４…第２の部分、１５…接触部、１６…屈曲部、１７…レンズ保持部、１８…レンズ枠、１９…押さえ環、２２…レンズ、３０…充填材、４０…突部、Ｐ…隙間
【図１】
2020174876.tif 000003
【図２】
2020174876.tif 000004
【図３】
2020174876.tif 000005
【図４】
2020174876.tif 000006
【図５】
2020174876.tif 000007
【図６】
2020174876.tif 000008
【図７】
2020174876.tif 000009
【図８】
2020174876.tif 000010
【図９】
2020174876.tif 000011
【図１０】
2020174876.tif 000012
【図１１】
2020174876.tif 000013
【図１２】
2020174876.tif 000014
【図１３】
2020174876.tif 000015
【図１４】
2020174876.tif 000016
【国際調査報告】
2020174876.tif 000017
2020174876.tif 000018
2020174876.tif 000019
2020174876.tif 000020
2020174876.tif 000021
2020174876.tif 000022